(57)【要約】【課題】マルチメディア情報を提供者の意図した通りに表示させる。【解決手段】  放送局２０は、マルチメディア情報編集装置１０から提供されたマルチメディア情報（コンテンツ情報及び表示情報）を放送電波３０にのせて放送する。携帯電話４０は、放送電波３０からマルチメディア情報を受信し、受信したマルチメディア情報を筐体内の記憶媒体に蓄積する。マルチメディア情報表示装置５０は、携帯電話４０からマルチメディア情報を取得し、取得したマルチメディア情報に含まれるコンテンツ情報を、マルチメディア情報に含まれる表示情報に従って、ディスプレイに表示する。このとき、マルチメディア情報表示装置５０は、ディスプレイを論理的に一定の範囲で分割し、分割された複数の範囲の内、表示情報が示す位置にある１つの範囲にコンテンツ情報を表示する。【選択図】図１
2010252147.tif 000002
【特許請求の範囲】
【請求項１】
放送電波によってコンテンツ情報を受信する受信端末と、この受信端末から取得したコンテンツ情報を表示するマルチメディア表示装置とを含むマルチメディア配信システムであって、
前記マルチメディア表示装置は、
前記受信端末から、前記コンテンツ情報を取得する取得手段と、
前記取得手段により取得された複数のコンテンツ情報を並べて配置する配置手段と、
前記配置手段により配置された複数のコンテンツ情報を表示する表示手段と
を有する
マルチメディア配信システム。
【請求項２】
前記受信端末は、放送電波によって、コンテンツ情報と、このコンテンツ情報の配置を指定する位置情報とを受信し、
前記取得手段は、前記受信端末により受信されたコンテンツ情報及び位置情報を取得し、
前記配置手段は、前記取得手段により取得された位置情報に基づいて、複数のコンテンツ情報を配置する
請求項１に記載のマルチメディア配信システム。
【請求項３】
前記受信端末は、放送電波によって、コンテンツ情報と、このコンテンツ情報の表示タイミングを指定するタイミング情報とを受信し、
前記取得手段は、前記受信端末により受信されたコンテンツ情報及びタイミング情報を取得し、
前記取得手段により取得されたタイミング情報に基づいて、前記表示手段により表示される複数のコンテンツ情報それぞれの表示タイミングを制御するタイミング制御手段
をさらに有する
請求項１に記載のマルチメディア配信システム。
【請求項４】
前記受信端末は、放送電波によって、コンテンツ情報と、このコンテンツ情報と他のコンテンツとの連結を指定する連結指定情報とを受信し、
前記取得手段は、前記受信端末により受信されたコンテンツ情報及び連結指定情報を取得し、
前記配置手段は、前記取得手段により取得された連結指定情報に基づいて、複数のコンテンツ情報を隣り合わせて連結させる
請求項１に記載のマルチメディア配信システム。
【請求項５】
複数のコンテンツ情報それぞれは、互いに独立して表示可能なデータファイルであり、
前記配置手段は、表示領域を格子状に分割した複数のパネルそれぞれに対して、コンテンツ情報が含まれたデータファイルを割り当てて配置し、
前記表示手段は、複数のパネルそれぞれに割り当てられたデータファイルのうち、少なくとも一部のデータファイルを同期させて表示させる
請求項２に記載のマルチメディア配信システム。
【請求項６】
同時に表示すべき複数のデータファイルのうち、未取得のデータファイルが存在する場合に、双方向通信網を用いて、この未取得のデータファイルを取得させる補充手段
をさらに有する
請求項２〜４のいずれかに記載のマルチメディア配信システム。
【請求項７】
放送電波によって、コンテンツ情報が含まれたデータファイルを送信し、
送信されたデータファイルを受信して、記録媒体に蓄積し、
前記記録媒体に蓄積された複数のデータファイルを表示装置に転送し、
前記表示装置に転送された複数のデータファイルに基づいて、これらのデータファイルに含まれるコンテンツ情報を並べて前記表示装置に表示させる
マルチメディア配信方法。
【請求項８】
放送電波によってコンテンツ情報を受信する受信端末と、この受信端末から取得したコンテンツ情報を表示するマルチメディア表示装置とを含むマルチメディア配信システムにおいて、
前記受信端末から、前記コンテンツ情報を取得する取得機能と、
前記取得機能により取得された複数のコンテンツ情報を並べて配置する配置機能と、
前記配置機能により配置された複数のコンテンツ情報を表示する表示機能と
を実現させるプログラム。
【発明の詳細な説明】
【技術分野】
【０００１】
本発明は、マルチメディア配信システムに関する。
【背景技術】
【０００２】
例えば、特許文献１には、マルチメディアの素材データを、ディスプレイ画面の任意の範囲に割り当て、さらに、位置、時間、及び切り替え方法を指定して表示、再生する技術が開示されている。
【先行技術文献】
【特許文献】
【０００３】
【特許文献１】特開２００８−１３４５７５号公報
【発明の概要】
【発明が解決しようとする課題】
【０００４】
本発明は、上述した背景からなされたものであり、マルチメディア情報を提供者の意図した通りに表示させることを目的とする。
【課題を解決するための手段】
【０００５】
本発明に係るマルチメディア配信システムは、放送電波によってコンテンツ情報を受信する受信端末と、この受信端末から取得したコンテンツ情報を表示するマルチメディア表示装置とを含むマルチメディア配信システムであって、前記マルチメディア表示装置は、前記受信端末から、前記コンテンツ情報を取得する取得手段と、前記取得手段により取得された複数のコンテンツ情報を並べて配置する配置手段と、前記配置手段により配置された複数のコンテンツ情報を表示する表示手段とを有する。
【０００６】
好適には、前記受信端末は、放送電波によって、コンテンツ情報と、このコンテンツ情報の配置を指定する位置情報とを受信し、前記取得手段は、前記受信端末により受信されたコンテンツ情報及び位置情報を取得し、前記配置手段は、前記取得手段により取得された位置情報に基づいて、複数のコンテンツ情報を配置する。
【０００７】
好適には、前記受信端末は、放送電波によって、コンテンツ情報と、このコンテンツ情報の表示タイミングを指定するタイミング情報とを受信し、前記取得手段は、前記受信端末により受信されたコンテンツ情報及びタイミング情報を取得し、前記取得手段により取得されたタイミング情報に基づいて、前記表示手段により表示される複数のコンテンツ情報それぞれの表示タイミングを制御するタイミング制御手段をさらに有する。
【０００８】
好適には、前記受信端末は、放送電波によって、コンテンツ情報と、このコンテンツ情報と他のコンテンツとの連結を指定する連結指定情報とを受信し、前記取得手段は、前記受信端末により受信されたコンテンツ情報及び連結指定情報を取得し、前記配置手段は、前記取得手段により取得された連結指定情報に基づいて、複数のコンテンツ情報を隣り合わせて連結させる。
【０００９】
好適には、複数のコンテンツ情報それぞれは、互いに独立して表示可能なデータファイルであり、前記配置手段は、表示領域を格子状に分割した複数のパネルそれぞれに対して、コンテンツ情報が含まれたデータファイルを割り当てて配置し、前記表示手段は、複数のパネルそれぞれに割り当てられたデータファイルのうち、少なくとも一部のデータファイルを同期させて表示させる。
【００１０】
好適には、同時に表示すべき複数のデータファイルのうち、未取得のデータファイルが存在する場合に、双方向通信網を用いて、この未取得のデータファイルを取得させる補充手段をさらに有する。
【００１１】
また、本発明に係るマルチメディア配信方法は、放送電波によって、コンテンツ情報が含まれたデータファイルを送信し、送信されたデータファイルを受信して、記録媒体に蓄積し、前記記録媒体に蓄積された複数のデータファイルを表示装置に転送し、前記表示装置に転送された複数のデータファイルに基づいて、これらのデータファイルに含まれるコンテンツ情報を並べて前記表示装置に表示させる。
【００１２】
また、本発明に係るプログラムは、放送電波によってコンテンツ情報を受信する受信端末と、この受信端末から取得したコンテンツ情報を表示するマルチメディア表示装置とを含むマルチメディア配信システムにおいて、前記受信端末から、前記コンテンツ情報を取得する取得機能と、前記取得機能により取得された複数のコンテンツ情報を並べて配置する配置機能と、前記配置機能により配置された複数のコンテンツ情報を表示する表示機能とを実現させる。
【発明の効果】
【００１３】
本発明によれば、マルチメディア情報を提供者の意図した通りに表示させることができる。
【図面の簡単な説明】
【００１４】
【図１】マルチメディア情報表示システム１の全体構成を例示する図である。
【図２】マルチメディア情報表示装置におけるマルチメディア情報を取得するパターンを例示する図である。
【図３】実施例１におけるマルチメディア情報表示画面１００を例示する図である。
【図４】マルチメディア情報表示装置５０の機能モジュール２００を例示する図である。
【図５】マルチメディア情報ＤＢ２０４を例示する図である。
【図６】パネルＤＢ２１０を例示する図である。
【図７】機能モジュール２００の表示動作（Ｓ１０）を例示するフローチャートである。
【図８】変形例１におけるマルチメディア情報表示画面３００を例示する図である。
【図９】変形例２におけるマルチメディア情報表示画面４００を例示する図である。
【発明を実施するための形態】
【実施例１】
【００１５】
図１は、実施例１におけるマルチメディア情報表示システム１の全体構成を例示する図である。
図１に例示するように、マルチメディア情報表示システム１は、マルチメディア情報編集装置１０及びマルチメディア情報表示装置５０を含む。
【００１６】
マルチメディア情報編集装置１０は、提供者が所有するコンテンツ情報（例えば、動画、静止画、音声、又は文字など）に、コンテンツ情報をどのように表示するかを示す表示情報（例えば、グループＩＤ、位置、タイミング、連結、レイヤ、及び有効期限など）を付加する。
そして、マルチメディア情報編集装置１０は、コンテンツ情報に表示情報を付加したデータファイル（以降、「マルチメディア情報」と呼ぶ）を電波又はネットワークを介して放送局２０に提供する。
【００１７】
放送局２０は、マルチメディア情報編集装置１０から提供されたマルチメディア情報を放送電波３０にのせて、携帯電話４０又はマルチメディア情報表示装置５０に放送する。
なお、放送局２０から発せされる放送電波３０は、例えば、ＭｅｄｉａＦｌｏ（登録商標）及びＩＳＤＢ−Ｔｍｍ（Integrated Services Degital Broadcasting-Terrestrial for mobile multimedia）などである。  
ＭｅｄｉａＦｌｏ及びＩＳＤＢ−Ｔｍｍの主な機能としては、従来からある番組表に合わせてリアルタイムにＴＶや音楽などを放送するモードと、数分単位の短時間の映像などのコンテンツ情報を配信して携帯端末内に蓄積するモードとがある。
本実施例では、ＭｅｄｉａＦｌｏ又はＩＳＤＢ−Ｔｍｍなどが備えるコンテンツ情報を携帯端末内に蓄積するモードを利用しており、従来のインターネットなどを介したオンデマンドでのコンテンツ情報の配信ではなく、放送という新しい形態で配信されてくるコンテンツ情報を効果的に利用する。
【００１８】
携帯電話４０は、携帯端末の一例であり、放送局２０から放送されたマルチメディア情報を受信し、受信したマルチメディア情報を筐体内の記憶媒体に蓄積する。なお、携帯端末としては、例えば、他に、放送電波３０を受信する機能を備えたＰＤＡ又はノートパソコンなどであってもよい。
また、携帯電話４０は、ＵＭＴＳ／ＨＳＤＰＡなどの通信電波によってインターネットに接続する。
【００１９】
インターネットには、他にマルチメディア情報表示装置５０、マルチメディア情報サーバ６０、ショッピングサーバ６２、及び広告サーバ６４が接続している。
なお、インターネットへの接続は、有線であるか、無線であるかを問わない。
【００２０】
以上のように構成されるマルチメディア情報表示システム１において、マルチメディア情報表示装置５０は、図２に例示するように、以下に説明する４つのパターンでマルチメディア情報を取得する。
１つ目は、図２（Ａ）に例示するように、携帯電話４０からインターネットなどのネットワークを介してマルチメディア情報を取得する場合であり、携帯電話４０は、放送電波３０によって受信し、筐体内の記憶媒体に蓄積したマルチメディア情報をインターネットを介してマルチメディア情報表示装置５０に送信する。マルチメディア情報表示装置５０は、携帯電話４０から送信されたマルチメディア情報を取得する。
なお、携帯電話４０からマルチメディア情報表示装置５０への送信手段は、特に限定するものではなく、例えば、メールやＨＴＴＰなどの既存のプロトコルで送信しても良いし、又は独自のプロトコルで送信してもよい。
２つ目は、図２（Ｂ）に例示するように、携帯電話４０からＳＤメモリーカード７０などの可搬型記憶媒体を介してマルチメディア情報を取得する場合であり、利用者は、携帯電話４０からマルチメディア情報が蓄積されているＳＤメモリーカード７０を取り出し、取り出したＳＤメモリーカード７０をマルチメディア情報表示装置５０に接続する。マルチメディア情報表示装置５０は、接続されたＳＤメモリーカード７０からマルチメディア情報を取得する。
３つ目は、図２（Ｃ）に例示するように、インターネットなどのネットワークからマルチメディア情報を取得する場合であり、マルチメディア情報表示装置５０は、インターネットを介してマルチメディア情報サーバ６０からマルチメディア情報を取得する。なお、マルチメディア情報サーバ６０は、インターネットなどのネットワークを介してマルチメディア情報を配信するサーバである。
４つ目は、図２（Ｄ）に例示するように、放送電波３０からマルチメディア情報を取得する場合であり、マルチメディア情報表示装置５０は、放送電波３０を受信する装置（アンテナなど）を備え、放送電波３０から直接マルチメディア情報を取得する。
【００２１】
そして、マルチメディア情報表示装置５０は、取得したマルチメディア情報に含まれるコンテンツ情報を、このマルチメディア情報に含まれる表示情報に従って、ディスプレイに表示する。このとき、マルチメディア情報表示装置５０は、ディスプレイを論理的に一定の範囲で分割し、分割された複数の範囲の内、表示情報が示す位置にある１つの範囲（以降、「パネル」と呼ぶ）にコンテンツ情報を表示する。
例えば、マルチメディア情報表示装置５０は、図３に例示するように、９つに分割したディスプレイの各パネルに、取得したマルチメディア情報に含まれていた動画、ニュース、ショッピングサイト、及び広告のコンテンツ情報を、それぞれの表示情報に従ってマルチメディア情報表示画面１００のように配置し、表示する。
【００２２】
また、マルチメディア情報表示装置５０は、取得したマルチメディア情報に含まれるコンテンツ情報に接続先を示すＵＲＬ又はＩＰアドレスなどの情報が含まれている場合、この接続先にある装置に接続し、接続した装置から受信した情報（ＨＴＭＬなど）を、当該コンテンツ情報を配置したパネルに表示する。
例えば、図３に例示するように、マルチメディア情報表示装置５０は、ショッピングサイト及び広告のコンテンツ情報がそれぞれショッピングサーバ６２及び広告サーバ６４のＵＲＬを含む場合、７，８、及び９のパネルにショッピングサーバ６２から受信したＨＴＭＬを表示し、６のパネルに広告サーバ６４から受信したＨＴＭＬを表示する。
【００２３】
以上で説明したマルチメディア情報表示システム１によって、提供者は、マルチメディア情報をマルチメディア情報表示装置５０のパネルにどのように表示するかをマルチメディア情報に含まれる表示情報によって定義することができる。
これによって、提供者は、複数のマルチメディア情報を効果的に組み合わせて利用者に表示させることができる。
【００２４】
図４は、マルチメディア情報表示装置５０の機能モジュール２００を例示する図である。
図４に例示するように、機能モジュール２００は、取得部２０２、マルチメディア情報データベース（マルチメディア情報ＤＢ）２０４、入力部２０６、配置部２０８、パネルデータベース（パネルＤＢ）２１０、補充部２１２、タイミング制御部２１４、表示部２１６、通信部２１８、スクリプト実行部２２０、及び削除部２２２を有する。
なお、機能モジュール２００は、ハードウェア、又はハードウェアとソフトウェアの組み合わせによって実現される。
【００２５】
取得部２０２は、図２に例示したいずれかのパターンで携帯電話４０からマルチメディア情報を取得し、取得したマルチメディア情報に含まれるコンテンツ情報及び表示情報をマルチメディア情報ＤＢ２０４に書き込む。
また、取得部２０２は、マルチメディア情報サーバ６０から、双方向通信によって、オンデマンドでマルチメディア情報を取得する。
【００２６】
マルチメディア情報ＤＢ２０４は、マルチメディア情報表示装置５０が備えるハードディスク又はフラッシュメモリなどの記憶媒体に格納され、図５に例示するように、グループＩＤと、位置と、タイミングと、連結と、レイヤと、有効期限と、コンテンツ情報とを互いに関連付けた情報を有する。なお、グループＩＤ、位置、タイミング、連結、レイヤ、及び有効期限は、表示情報に含まれ、以下のような情報である。
「グループＩＤ」は、マルチメディア情報の集合に与えられる識別情報である。同じグループＩＤに関連するコンテンツ情報は、同時にパネルに配置される。
「位置」は、パネルの位置を表し、例えば、図３に例示するように、配置されたパネルの左上から右下へ順番に付された番号を表す。
「タイミング」は、コンテンツ情報を表示するタイミングを表し、例えば、「最初から」は初期画面での表示を表し、「１終了後」は１の位置にあるパネルに配置されたコンテンツ情報の表示終了後の表示を表し、「３分後」は初期画面から３分後の表示を表す。なお、タイミングは、特に限定するものではなく、提供者によって自由に定義できるものとする。
「連結」は、コンテンツ情報が他にどのパネルにまたがって表示されるかを表す。マルチメディア情報表示装置５０は、連結したパネルの大きさに合わせて、コンテンツ情報を拡大／縮小して表示する。
「レイヤ」は、同一のパネルにおいて表示されるコンテンツ情報の階層を表し、例えば、小さい番号のレイヤから順番にマルチメディア情報を表示してもよいし、あるタイミング又はある操作によって別のレイヤのコンテンツ情報に切り替わるようにしてもよい。
「有効期限」は、コンテンツ情報を視聴できる有効期限を表す。
【００２７】
入力部２０６は、利用者が入力したグループＩＤを取得し、取得したグループＩＤを配置部２０８に送信する。なお、利用者によるグループＩＤの入力手段は、特に限定するものではなく、例えば、キーボード操作又はマウス操作などである。
【００２８】
配置部２０８は、取得部２０２により取得された複数のマルチメディア情報を、複数のパネルのいずれかに割り当てる。パネルとは、表示領域を既定のサイズで分割した各領域である。
本例の配置部２０８は、入力部２０６から送信されたグループＩＤに関連付けられた情報をマルチメディア情報ＤＢ２０４から抽出し、抽出した情報をパネルＤＢ２１０に書き込む。
【００２９】
パネルＤＢ２１０は、マルチメディア情報表示装置５０が備えるＤＲＡＭなどの揮発性の記憶媒体に格納され、図６に例示するように、マルチメディア情報ＤＢ２０４から抽出された位置と、タイミングと、連結と、レイヤと、コンテンツ情報とを互いに関連付けた情報を有する。
【００３０】
補充部２１２は、同時に表示すべき複数のコンテンツ情報（データファイル）のうち、未取得のコンテンツ情報（データファイル）が存在する場合に、未取得のコンテンツ情報（データファイル）を、ネットワークを介して取得するよう取得部２０２に指示する。より具体的には、補充部２１２は、同一のグループＩＤに関連付けれられたコンテンツ情報がすべて揃っているか否かを判断し、不足するコンテンツ情報が存在する場合に、このコンテンツ情報の取得を取得部２０２に指示する。
本例の補充部２１２は、パネルＤＢ２１０を参照し、パネルに表示するコンテンツ情報に不足がないか判断する。そして、補充部２１２は、パネルに表示するコンテンツ情報に不足があると判断した場合は、そのコンテンツ情報の取得を取得部２０２に促し、取得できた場合は、配置部２０８にそのコンテンツ情報をパネルＤＢ２１０に書き込むように促す。
【００３１】
タイミング制御部２１４は、一定の間隔でパネルＤＢ２１０に含まれるタイミングの情報を参照して、現在表示すべきコンテンツ情報を活性化（表示可能のフラグを立てる）し、現在表示すべきでないコンテンツ情報を非活性化（表示可能のフラグを下げる）する。
【００３２】
表示部２１６は、パネルＤＢ２１４を参照し、活性化しているコンテンツ情報を、そのコンテンツ情報に関連付けられた位置にあるパネルに配置して、表示する。
また、表示部２１６は、表示の際、活性化しているコンテンツ情報に外部装置への接続先を示す情報（ＵＲＬなど）が含まれている場合、その接続先にある外部装置に通信部２１８を介して接続する。そして、表示部２１６は、通信部２１８を介して外部装置から情報（ＨＴＭＬなど）を受信し、受信した情報を当該コンテンツ情報が配置されたパネルに表示する。
なお、このとき、外部装置から受信した情報にスクリプトなどのプログラムが埋め込まれている場合、表示部２２０は、そのプログラムの実行をスクリプト実行部２２０に依頼する。
【００３３】
通信部２１８は、表示部２１６と外部装置とのネットワークを介した通信を実現する。
【００３４】
スクリプト実行部２２０は、表示部２１６からの依頼に応じて、スクリプトなどのプログラムを実行する。
なお、このとき、マルチメディア情報の表示を切り替えるなど、パネルＤＢ２１０に何らかの操作を指示するプログラムが含まれている場合、スクリプト実行部２２０は、そのプログラムの指示に従って、パネルＤＢ２１０を操作する。
【００３５】
削除部２２２は、マルチメディア情報ＤＢ２０４に格納されている有効期限を参照し、有効期限が切れた表示情報及びコンテンツ情報をマルチメディア情報ＤＢ２０４から削除する。
【００３６】
図７は、機能モジュール２００の表示動作（Ｓ１０）を例示するフローチャートである。
図７に例示するように、ステップ１００（Ｓ１００）において、入力部２０６は、利用者から表示したいコンテンツ情報に関連するグループＩＤの入力を受け付ける。
【００３７】
ステップ１０２（Ｓ１０２）において、配置部２０８は、Ｓ１００で入力されたグループＩＤに関連するコンテンツ情報及び表示情報（グループＩＤは除く）をマルチメディア情報ＤＢ２０４から抽出し、抽出したコンテンツ情報及び表示情報（グループＩＤは除く）をパネルＤＢ２１０に書き込む。
【００３８】
ステップ１０４（Ｓ１０４）において、補充部２１２は、パネルＤＢ２１０に含まれるコンテンツ情報に不足がないか判断する。
機能モジュール２００は、コンテンツ情報に不足があれば、Ｓ１０６の処理に移行し、コンテンツ情報に不足がなければ、Ｓ１１０の処理に移行する。
【００３９】
ステップ１０６（Ｓ１０６）において、補充部２１２は、不足していたコンテンツ情報の取得を取得部２０２に促す。そして、取得部２０２は、不足していたコンテンツ情報を、インターネット経由で、マルチメディア情報サーバ６０から取得する。
【００４０】
ステップ１０８（Ｓ１０８）において、補充部２１２は、取得部２０２が不足が見つかったコンテンツ情報の取得に成功したか判断する。
機能モジュール２００は、コンテンツ情報の取得に成功した場合は、Ｓ１１０の処理に移行し、コンテンツ情報の取得に失敗した場合は、処理を終了する。
【００４１】
ステップ１１０（Ｓ１１０）において、タイミング制御部２１４は、パネルＤＢ２１４に含まれるタイミングの情報を参照し、現在表示すべきコンテンツ情報を活性化（表示可能のフラグを立てる）し、現在表示すべきでないコンテンツ情報を非活性化（表示可能のフラグを下げる）する。
【００４２】
ステップＳ１１２（Ｓ１１２）において、表示部２１６は、パネルＤＢ２１４を参照し、活性化しているコンテンツ情報を、このコンテンツ情報に関連付けられた位置にあるパネルに表示する。
【００４３】
ステップＳ１１４（Ｓ１１４）において、機能モジュール２００は、表示部２１６が利用者からコンテンツ表示の終了指示を受け付けた場合は、処理を終了し、表示部２１６が利用者からコンテンツ表示の終了指示を受け付けていない場合は、Ｓ１１０に戻る。
【００４４】
以上で説明した構成及び動作によって、利用者は、マルチメディア情報表示装置５０を使って、放送などによって送られてくるマルチメディア情報に含まれるコンテンツ情報を、提供者の意図した通りに表示することができる。
また、提供者は、提供するコンテンツ情報にＵＲＬなどの外部装置への接続先を含めることで、例えば、利用者に、ある商品を紹介する動画像を見せながら、その商品に関連するショッピングサイトで買い物をさせるといった様に、コンテンツ情報と対話形式のサービスを融合させることができる。
さらに、提供者は、マルチメディア情報表示装置５０が外部装置から受信する情報（ＨＴＭＬなど）にスクリプトなどプログラムを埋め込むことで、そのプログラムによって複数のコンテンツ情報を連動させたり、切り替えて表示することができる。
【００４５】
［変形例１］
図８は、変形例１におけるマルチメディア情報表示画面３００を例示する図である。
図８に例示するように、マルチメディア情報にコンテンツ情報として含まれる４つの動画は、組み合わせることで、１つの動画となる。つまり、各動画は１つの動画を４分割したものである。
マルチメディア情報表示装置５０は、これら４つの動画をそれぞれパネルに配置し、同じタイミングで表示することで、あたかも１つの動画を拡大したように見せることができる。
【００４６】
ＭｅｄｉａＦｌｏやＩＳＤＢ−Ｔｍｍを使った放送は、携帯端末での表示を想定しているため、放送できる動画のサイズに一定の制限（例えば、320×240画素）を与えている。そのため、ＭｅｄｉａＦｌｏやＩＳＤＢ−Ｔｍｍによって放送された動画は、一定の制限を超えたサイズに拡大して表示されると、不明瞭になってしまう。
これに対し、マルチメディア情報表示装置５０は、１つのパネルのサイズをＭｅｄｉａＦｌｏやＩＳＤＢ−Ｔｍｍで放送できる動画のサイズにすることで、複数の分割された動画を、それぞれパネルに配置し、同じタイミングで表示させることで、解像度を落とすことなく、１つの動画として大きく表示することができる。
【００４７】
［変形例２］
図９は、変形例２におけるマルチメディア情報表示画面４００を例示する図である。
図９に例示するように、コンテンツ情報（動画、静止画、音声、若しくは文字などの情報）と表示情報（グループＩＤ、位置、タイミング、連結、レイヤ、及び有効期限などの情報）は、別々のファイルになっている。
この場合、マルチメディア情報表示装置５０は、別のファイルになっている１つの表示情報に基づいて、複数のコンテンツ情報をパネルに割り当て、表示する。
なお、表示情報は、例えば、ＸＭＬ（Extensible Markup Language）などで定義される。
【００４８】
実施例１及び変形例１では、コンテンツ情報及び表示情報を含むものを１つのマルチメディア情報のファイルとして扱かったが、本実施例では、提供者は、コンテンツ情報と表示情報とを別々のファイルにして、それぞれ放送などによって配信する。
これによって、マルチメディア情報表示装置５０は、表示情報をそのままにして、一部のコンテンツ情報だけを置きかえて表示するといったことなどができる。
【符号の説明】
【００４９】
１・・・マルチメディア情報表示システム
１０・・・マルチメディア情報編集装置
２０・・・放送局
３０・・・放送電波
４０・・・携帯電話
５０・・・マルチメディア情報表示装置
６０・・・マルチメディア情報サーバ
６２・・・ショッピングサーバ
６４・・・広告サーバ
７０・・・ＳＤメモリーカード
１００・・・マルチメディア情報表示画面（実施例１）
２００・・・マルチメディア情報表示装置５０の機能モジュール
２０２・・・取得部
２０４・・・マルチメディアＤＢ
２０６・・・入力部
２０８・・・配置部
２１０・・・パネルＤＢ
２１２・・・補充部
２１４・・・タイミング制御部
２１６・・・表示部
２１８・・・通信部
２２０・・・スクリプト実行部
２２２・・・削除部
【図１】
2010252147.tif 000003
【図２】
2010252147.tif 000004
【図３】
2010252147.tif 000005
【図４】
2010252147.tif 000006
【図５】
2010252147.tif 000007
【図６】
2010252147.tif 000008
【図７】
2010252147.tif 000009
【図８】
2010252147.tif 000010
【図９】
2010252147.tif 000011